(57)【特許請求の範囲】
【請求項１】
ミッドソールを含む底部を備えており、
このミッドソールが、低弾性部と、高弾性部と、傾斜面とを備えており、
この傾斜面のインサイドにのみ低弾性部が存在し、
この傾斜面のアウトサイド、及び、上記低弾性部のインサイドに高弾性部が存在している靴。
【請求項２】
上記低弾性部の厚みが傾斜面に沿ってアウトサイドからインサイドに向かって徐々に大きくなっており、上記高弾性部の厚みが傾斜面に沿ってインサイドからアウトサイドに向かって徐々に大きくなっている請求項１に記載の靴。
【請求項３】
上記ミッドソールの輪郭内に画かれうる最長の線分である長さ線に沿って爪先側端から踵側端へこの長さ線の距離の２５％を移動した地点に、上記傾斜面が存在する請求項１又は２に記載の靴。
【請求項４】
左右方向における上記傾斜面の幅が５ｍｍ以上１００ｍｍ以下である請求項１から３のいずれかに記載の靴。
【請求項５】
上記低弾性部の、傾斜面に沿った部分の最大厚みが、ミッドソールの厚みの３０％以上である請求項１から４のいずれかに記載の靴。
【請求項６】
上記傾斜面が、インサイドからアウトサイドに向かって上向きに傾斜している請求項１から５のいずれかに記載の靴。
【請求項７】
上記低弾性部の硬度ＨＬの高弾性部の硬度ＨＨに対する比（ＨＬ／ＨＨ）が、０．２０以上０．９０以下である請求項１から６のいずれかに記載の靴。
【請求項８】
上記低弾性部が、ミッドソールの幅方向に上記傾斜面の範囲にのみ存在する請求項１から７のいずれかに記載の靴。
【発明の詳細な説明】
【技術分野】
【０００１】
本発明は、ゴルフ、テニス、スカッシュ、フィールドホッケー、バスケットボール、エアロビクス体操等に適した靴に関する。
【背景技術】
【０００２】
靴は、アウトソール、ミッドソール、インソール、アッパー等から構成されている。ミッドソールは、気泡を含むポリマー成形体からなる。通常のミッドソールには、基材ポリマーとして、エチレン−酢酸ビニル共重合体（ＥＶＡ）が用いられている。ミッドソールは、衝撃吸収性に寄与する。実開平２−１３４００３号公報には、多層構造のミッドソールを備え、衝撃吸収性とトラクション性とに優れた靴が開示されている。
【０００３】
ゴルファーがゴルフボールを打撃する際は、左右の足先を結ぶ線が目標方向とほぼ平行となるようにアドレスする。アドレスでは、ゴルフクラブのヘッドはゴルフボールの近くに位置する。この状態からゴルファーはテイクバックを開始し、ヘッドを右へ、次いで上へと振り上げる。最もヘッドが振り上げられた位置は、トップ位置と称される。トップ位置からダウンスイングが開始されてヘッドが振り下ろされ、ヘッドがゴルフボールと衝突する。衝突後、ゴルファーはゴルフクラブを左へ、次いで上へと振り抜き、フィニッシュを迎える。
【０００４】
トップ位置からフィニッシュにかけて、ゴルファーは左足を軸としてボディターンを行う。同時にゴルファーは、右足で地面を蹴ってその力をゴルフボールに伝える。つまり、右利きのゴルファーは、左足を軸足として使い、右足を蹴足として使う。左利きゴルファーの場合は、右足を軸足として使い、左足を蹴足として使う。
【特許文献１】実開平２−１３４００３号公報
【発明の開示】
【発明が解決しようとする課題】
【０００５】
スイングのときゴルファーは、主として蹴足のインサイドに体重をかけて地面を蹴る。ゴルファーはまた、主として軸足のインサイドで体重を受け止める。このとき、力は靴を介して地面に伝わる。スイングに適した靴が望まれている。
【０００６】
他のスポーツにおいても、足のインサイドに体重がかかる動作が見られる。テニス及びスカッシュでは、ラケットをスイングするときに、足のインサイドに体重がかかる。フィールドホッケーでは、スティックをスイングするときに、足のインサイドに体重がかかる。バスケットボール及びエアロビクス体操では、左右反転動作のときに、足のインサイドに体重がかかる。これらのスポーツにおいても、動作に適した靴が望まれている。
【０００７】
本発明の目的は、足のインサイドに荷重がかかりやすい靴の提供にある。
【課題を解決するための手段】
【０００８】
本発明に係る靴は、底部を備える。この底部の上面に着用者の体重が加わったときに、この上面のインサイドにおける下方への変位は、この上面のアウトサイドにおける下方への変位よりも大きい。
【０００９】
本発明に係る他の靴は、ミッドソールを含む底部を備える。このミッドソールは、低弾性部と、高弾性部と、傾斜面とを備える。この傾斜面のインサイドには低弾性部が存在し、この傾斜面のアウトサイドには高弾性部が存在する。この底部の上面に着用者の体重が加わったとき、この上面のインサイドにおける下方への変位は、この上面のアウトサイドにおける下方への変位よりも大きい。
【００１０】
好ましくは、高弾性部は、低弾性部のインサイドにも存在する。好ましくは、低弾性部の厚みは傾斜面に沿ってアウトサイドからインサイドに向かって徐々に大きくなっており、高弾性部の厚みは傾斜面に沿ってインサイドからアウトサイドに向かって徐々に大きくなっている。好ましくは、ミッドソールの長さ線に沿って爪先側端から踵側端へこの長さ線の距離の２５％を移動した地点に、上記傾斜面が存在する。好ましくは、左右方向における傾斜面の幅は、５ｍｍ以上１００ｍｍ以下である。好ましくは、低弾性部の、傾斜面に沿った部分の最大厚みは、ミッドソールの厚みの３０％以上である。好ましくは、傾斜面は、インサイドからアウトサイドに向かって上向きに傾斜している。好ましくは、上記低弾性部の硬度ＨＬの高弾性部の硬度ＨＨに対する比（ＨＬ／ＨＨ）は、０．２０以上０．９０以下である。
【発明の効果】
【００１１】
本発明に係る靴では、体重が加わったときに、底部の上面が、インサイドからアウトサイドに向かって上向きに傾斜する。この傾斜により、着用者は、足のインサイドに体重をかけやすい。
【発明を実施するための最良の形態】
【００１２】
以下、適宜図面が参照されつつ、好ましい実施形態に基づいて本発明が詳細に説明される。
【００１３】
図１は、本発明の一実施形態に係るゴルフ靴２が示された一部切り欠き側面図である。このゴルフ靴２は、アッパー４及び底部６を備えている。底部６は、インソール８、ミッドソール１０及びアウトソール１２からなる。インソール８は、ミッドソール１０と積層されている。ミッドソール１０は、アウトソール１２と積層されている。アウトソール１２は、その下面に、下方に向けて突出する多数の突起１４を備えている。アッパー４の材質及び構造は、既知のアッパーのそれと同等である。インソール８の材質及び構造は、既知のインソールのそれと同等である。アウトソール１２の材質及び構造は、既知のアウトソールのそれと同等である。
【００１４】
図２は、図１のゴルフ靴２のミッドソール１０が示された平面図である。このミッドソール１０は、ベース１６と、このベース１６の外縁に位置する側壁１８とを備えている。このミッドソール１０は、右足用である。左足用のミッドソールの形状は、図２に示された形状が左右反転した形状である。
【００１５】
図３は図２のIII−III線に沿った拡大断面図であり、図４は図２のIV−IV線に沿った拡大断面図であり、図５は図２のＶ−Ｖ線に沿った拡大断面図である。この図３から図５において、左側がインサイドであり、右側がアウトサイドである。
【００１６】
このミッドソール１０は、気泡を含むポリマー成形体からなる。ミッドソール１０の典型的な基材ポリマーは、ＥＶＡである。ＥＶＡにおける酢酸ビニル含有量は、１０質量％以上が好ましく、１５質量％以上がより好ましい。ＥＶＡにおける酢酸ビニル含有量は、４０質量％以下が好ましく、３０質量％以下がより好ましく、２５質量％以下が特に好ましい。ミッドソールの基材ポリマーとして、ＥＶＡとポリオレフィンとが併用されることが好ましい。ポリオレフィンは、衝撃吸収性及び反発性に寄与しうる。この観点から、基材ポリマーの全量に対するポリオレフィンの量は５質量％以上が好ましく、１０質量％以上がより好ましい。コスト及び接着性の観点から、ポリオレフィンの量は８０質量％以下が好ましく、７０質量％以下がより好ましく、１５質量％以下が特に好ましい。好ましいポリオレフィンとしては、エチレン−オクテン共重合体、エチレン−ブテン共重合体、ポリプロピレン及びポリエチレンが例示される。
【００１７】
ミッドソール１０が、独立気泡を含んでもよく、連続気泡を含んでもよい。形状復元力及び非吸水性の観点から、独立気泡が好ましい。気泡は、通常は熱分解型発泡剤の発泡によって形成される。用いられる熱分解型発泡剤としては、アゾ化合物（例えばアゾジカルボンアミド）、ニトロソ化合物（例えばジニトロソペンタメチレンテトラミン）及びトリアゾール化合物が例示される。ミッドソール１０の発泡倍率（気泡が存在する場合の密度に対する気泡が存在しない場合の密度の比）は、２倍以上が好ましく３倍以上がより好ましい。発泡倍率は、３０倍以下が好ましく、１５倍以下がより好ましく、１０倍以下が特に好ましい。
【００１８】
このミッドソール１０は、低弾性部２０及び高弾性部２２を備えている。低弾性部２０の弾性率は、高弾性部２２の弾性率よりも小さい。ミッドソール１０に圧縮荷重が加わったとき、低弾性部２０は高弾性部２２よりも変形しやすい。低弾性部２０が、互いの弾性率が異なる２以上の部位からなってもよい。高弾性部２２が、互いの弾性率が異なる２以上の部位からなってもよい。
【００１９】
このミッドソール１０はさらに、傾斜面２４を備えている。傾斜面２４は、低弾性部２０と高弾性部２２との境界の一部を形成している。傾斜面２４は、水平方向に対して傾斜している。この実施形態では、傾斜面２４は、左（インサイド）から右（アウトサイド）に向かって上向きに傾斜している。傾斜面２４の上側かつインサイドには、低弾性部２０が存在している。傾斜面２４の下側かつアウトサイドには、高弾性部２２が存在している。高弾性部２２は、低弾性部２０のインサイドにも存在している。以下、低弾性部２０よりもインサイドにある高弾性部２６は、「内側高弾性部」と称される。低弾性部２０の厚みは、傾斜面２４に沿って、アウトサイドからインサイドに向かって徐々に大きくなっている。高弾性部２２の厚みは、傾斜面２４に沿ってインサイドからアウトサイドに向かって徐々に大きくなっている。
【００２０】
ゴルファーがこのゴルフ靴２を着用し、底部６にゴルファーの体重が加わると、このミッドソール１０が圧縮される。インサイドでは低弾性部２０の厚みが大きいので、インサイドの圧縮変形量は大きい。アウトサイドでは高弾性部２２の厚みが大きいので、アウトサイドの圧縮変形量は小さい。このミッドソール１０では、体重が加わることで、偏った変形が生じる。ミッドソール１０の変形により、インソール８の上面２８（図１参照）の位置が変位する。インサイドにおける上面２８の下方への変位は、アウトサイドにおける上面２８の下方への変位よりも大きい。インソール８は、インサイドからアウトサイドに向かって上向きに傾く。ゴルファーの足も、インサイドからアウトサイドに向かって上向きに傾く。ゴルファーの体重は、主としてインサイドにかかる。前述の通り、ゴルファーはスイングのときに蹴足のインサイドで地面を蹴る。足が傾いているので、ゴルファーは力を地面に伝えやすい。このミッドソール１０は、右利きゴルファーの右足に適している。このゴルフ靴２は、大きなヘッドスピードに寄与する。大きなヘッドスピードは、大きな飛距離を生む。
【００２１】
底部６にゴルファーの体重が加わっても、内側高弾性部２６は大きくは変形しない。この内側高弾性部２６は、足から地面に伝わる力をあまり吸収しない。この内側高弾性部２６により、足から地面に大きな力が伝えられうる。この内側高弾性部２６は、大きなヘッドスピードに寄与する。
【００２２】
図３の形状が左右反転されたミッドソールは、右利きゴルファーの軸足（すなわち左足）に適している。このミッドソールにより、ゴルファーの軸足は、インサイドからアウトサイドに向かって上向きに傾く。ゴルファーは、軸足で体重を受け止めやすい。このミッドソールも、大きな飛距離に寄与する。
【００２３】
本発明において、体重が加わった状態とは、体重が６０ｋｇの着用者が左右の足に均等に体重をかけた状態を意味する。
【００２４】
左足用及び右足用のミッドソールにおいて、ミッドソールの偏った変形が達成されることが好ましい。ミッドソールの偏った変形が、左足用及び右足用のミッドソールのいずれか一方のみで達成されてもよい。
【００２５】
このミッドソール１０では、低弾性部２０及び高弾性部２２の厚みが、傾斜面２４に沿って徐々に変化している。従って、ミッドソール１０の圧縮変形量は、傾斜面２４に沿ってインサイドからアウトサイドに向かって、連続的に変化する。圧縮変形量は、急激には変化しない。連続的な変化は、スイングの安定に寄与する。安定したスイングは、飛距離のばらつきを抑制する。安定したスイングはさらに、ゴルフボールの飛行方向のばらつきを抑制する。圧縮変形量が連続的に変化するミッドソール１０は、歩行時の違和感を生じさせない。
【００２６】
高弾性部２２の発泡倍率よりも大きな発泡倍率が低弾性部２０に適用されることにより、弾性率の相違が達成されうる。高弾性部２２の基材ポリマーとは異なる基材ポリマーが低弾性部２０に用いられることにより、弾性率の相違が達成されうる。高弾性部２２における添加剤の量とは異なる量の添加剤が低弾性部２０に添加されることにより、弾性率の相違が達成されうる。高弾性部２２の添加剤とは異なる添加剤が低弾性部２０に配合されることにより、弾性率の相違が達成されうる。
【００２７】
図２から明らかなように、低弾性部２０の平面形状は、実質的に楕円である。楕円の低弾性部２０を備えたミッドソール１０では、前後方向においても、圧縮変形量が急激には変化しない。楕円の低弾性部２０は、スイングの安定に寄与する。平面形状が長円である低弾性部も、スイングの安定に寄与する。
【００２８】
図２において符号Ａで示された二点鎖線は、ミッドソール１０の長さ線である。長さ線Ａは、ミッドソール１０の輪郭内に画かれうる最長の線分である。長さ線Ａは、爪先側端３０から踵側端３２に至っている。図２において、長さ線Ａの長さが符号Ｌによって示されている。図２において符号Ｂで示された二点鎖線は、幅線Ｂである。幅線Ｂは、長さ線Ａと直交している。この幅線Ｂまでの爪先側端３０からの距離は、（Ｌ／４）である。この幅線Ｂは、低弾性部２０を通過している。換言すれば、長さ線Ａに沿って爪先側端３０から踵側端３２へ、長さ線の距離Ｌの２５％を移動した地点に、傾斜面２４が存在している。スイングにおいて最も力がかかるのは、母趾球の近傍である。前述の位置に傾斜面２４が存在することにより、ゴルファーは力を地面に伝えやすい。長さＬは、通常は１５０ｍｍから３２０ｍｍである。
【００２９】
ゴルファーが力を地面に伝えやすいとの観点から、長さ線Ａに沿った傾斜面２４の距離は、５ｍｍ以上が好ましく、２０ｍｍ以上がより好ましく、５０ｍｍ以上が特に好ましい。効果の観点からはこの距離の上限に制限は無いが、通常は２００ｍｍ以下、さらには１０５ｍｍ以下である。
【００３０】
図４において両矢印Ｗａで示されているのは、傾斜面２４の左右方向幅である。幅Ｗａは、幅線Ｂに沿った断面において測定される。幅Ｗａは、５ｍｍ以上１００ｍｍ以下が好ましい。幅Ｗａが５ｍｍ以上に設定されることにより、圧縮変形量の急激な変化が抑制される。この観点から、幅Ｗａは２０ｍｍ以上がより好ましく、３０ｍｍ以上が特に好ましい。幅Ｗａが１００ｍｍ以下に設定されたゴルフ靴２では、ゴルファーが力を地面に伝えやすい。この観点から、幅Ｗａは８０ｍｍ以下がより好ましく、７０ｍｍ以下が特に好ましい。なお、幅線Ｂに沿ったミッドソール１０の幅Ｗは、通常は８０ｍｍ以上１２０ｍｍ以下である。
【００３１】
図４において両矢印Ｗｂで示されているのは、内側高弾性部２６のうち上面が平坦な部位の幅である。幅Ｗｂは、幅線Ｂに沿って測定される。幅Ｗｂは、３ｍｍ以上２５ｍｍ以下が好ましい。幅Ｗｂが３ｍｍ以上に設定されることにより、足から地面へ十分な力が伝わる。この観点から、幅Ｗｂは５ｍｍ以上がより好ましく、７ｍｍ以上がさらに好ましく、１０ｍｍ以上が特に好ましい。幅Ｗｂが２５ｍｍ以下に設定されることにより、足が十分に傾斜する。この観点から、幅Ｗｂは２２ｍｍ以下がより好ましく、１８ｍｍ以下が特に好ましい。
【００３２】
図４において両矢印Ｗｃで示されているのは、内側高弾性部２６の幅である。幅Ｗｃは、幅線Ｂに沿って測定される。幅Ｗｃは、１３ｍｍ以上３５ｍｍ以下が好ましい。幅Ｗｃが１３ｍｍ以上に設定されることにより、足から地面へ十分な力が伝わる。この観点から、幅Ｗｃは１５ｍｍ以上がより好ましく、１７ｍｍ以上がさらに好ましく、２０ｍｍ以上が特に好ましい。幅Ｗｃが３５ｍｍ以下に設定されることにより、足が十分に傾斜する。この観点から、幅Ｗｃは３２ｍｍ以下がより好ましく、２８ｍｍ以下が特に好ましい。
【００３３】
図４において両矢印Ｗｄで示されているのは、低弾性部２０のアウトサイド端とミッドソールのアウトサイド端との距離である。距離Ｗｄは、１３ｍｍ以上、さらには１５ｍｍ以上、さらには１７ｍｍ以上、さらには２０ｍｍ以上が好ましい。距離Ｗｄは、３５ｍｍ以下、さらには３２ｍｍ以下、さらには２８ｍｍ以下が好ましい。
【００３４】
図４において両矢印Ｔで示されているのは、ミッドソール１０の厚みである。厚みＴは、幅線Ｂに沿った断面において測定される。厚みＴは、側壁１８を除く部位の最大厚みである。厚みＴは、２ｍｍ以上、さらには５ｍｍ以上である。厚みＴは、２５ｍｍ以下、さらには２０ｍｍ以下、さらには１５ｍｍ以下である。図４において両矢印ｔで示されているのは、低弾性部２０の最大厚みである。厚みｔは、幅線Ｂに沿った断面において測定される。インソール８の上面が十分に傾斜するとの観点から、厚みＴに対する厚みｔの比率は３０％以上、さらには４０％以上、さらには５０％以上、さらには８０％以上が好ましい。図４に示された実施形態では、この比率は１００％である。換言すれば、ミッドソール１０の底面３４に、低弾性部２０がわずかに露出している。図３から明らかなように、III−III線に沿った断面では、低弾性部２０は底面３４に露出していない。図５から明らかなように、Ｖ−Ｖ線に沿った断面でも、低弾性部２０は底面３４に露出していない。
【００３５】
底面３４に低弾性部２０と高弾性部２２との境界線が存在すると、この境界線が亀裂等の損傷の原因となることがある。ミッドソール１０の耐久性の観点から、境界線が底面３４に存在しないことが好ましい。換言すれば、低弾性部２０が底面３４に露出しないことが好ましい。耐久性の観点から、厚みＴに対する厚みｔの比率は１００％未満が好ましく、９８％以下がより好ましく、９５％以下が特に好ましい。
【００３６】
図４において両矢印θで示されているのは、左右方向（水平方向）に対する傾斜面２４の角度である。角度θは、幅線Ｂに沿った断面において測定される。角度θは、３度（degree）以上６０度以下が好ましい。角度θが３度以上に設定されたゴルフ靴２では、ゴルファーが力を地面に伝えやすい。この観点から、角度θは５度以上がより好ましく、７度以上が特に好ましい。角度θが６０度以下に設定さることにより、圧縮変形量の急激な変化が抑制される。この観点から、角度θは５０度以下がより好ましく、４０度以下がさらに好ましく、２０度以下が特に好ましい。
【００３７】
低弾性部２０の硬度ＨＬの、高弾性部２２の硬度ＨＨに対する比（ＨＬ／ＨＨ）は、０．２０以上０．９０以下が好ましい。比（ＨＬ／ＨＨ）が０．２０以上に設定されることにより、縮変形量の急激な変化が抑制される。この観点から、比（ＨＬ／ＨＨ）は０．３０以上がより好ましく、０．４０以上が特に好ましい。比（ＨＬ／ＨＨ）が０．９０以下に設定されることにより、ゴルファーが力を地面に伝えやすい。この観点から、比（ＨＬ／ＨＨ）は０．８５以下がより好ましく、０．８０以下が特に好ましい。低弾性部２０の硬度ＨＬは、２０以上７０以下が好ましい。高弾性部２２の硬度ＨＨは、４０以上８５以下が好ましい。硬度は、日本ゴム協会標準規格に準拠して、高分子計器株式会社のアスカーＣ型硬度計にて測定される。
【００３８】
図６は、図２のミッドソール１０の製造方法の一例が説明されるための断面図である。この製造方法では、まず第一部品３６、第二部品３８及び第三部品４０が準備される。第一部品３６、第二部品３８及び第三部品４０は、気泡を含むポリマー成形体からなる。第一部品３６の弾性率は、第二部品３８及び第三部品４０の弾性率よりも小さい。第一部品３６及び第二部品３８の断面形状は、実質的に三角形である。第三部品４０の輪郭は、ミッドソール１０の輪郭に類似している。第三部品４０は、打ち抜きよって形成された穴４２を備えている。
【００３９】
この製造方法では、第一部品３６と第二部品３８とが貼り合わされる。第一部品３６と第二部品３８との境界は、傾斜する。次に、第一部品３６及び第二部品３８が、第三部品４０の穴４２に挿入される。次に、第一部品３６、第二部品３８及び第三部品４０が金型に投入され、高温下で圧縮される。各部品３６、３８、４０は、互いに接合される。この製造方法では、第一部品３６が低弾性部２０を形成し、第二部品３８及び第三部品４０が高弾性部２２を形成する。第一部品３６及び第二部品３８が圧縮され、かつ第三部品４０も圧縮された後、この第三部品４０に第一部品３６及び第二部品３８が挿入されてもよい。
【００４０】
図７は、図２のミッドソール１０の製造方法の他の例が説明されるための断面図である。この製造方法では、まず第一部品４４及び第二部品４６が準備される。第一部品４４及び第二部品４６は、気泡を含むポリマー成形体からなる。第一部品４４及び第二部品４６は、既に圧縮されている。第一部品４４の弾性率は、第二部品４６の弾性率よりも小さい。第一部品４４の断面形状は、実質的に三角形である。第二部品４６の輪郭は、ミッドソール１０の輪郭に類似している。第二部品４６は、窪み４８を備えている。窪み４８の断面形状は、実質的に三角形である。窪み４８の上面５０は、傾斜している。
【００４１】
この製造方法では、第一部品４４が第二部品４６の窪み４８に挿入され、両者が貼り合わされる。第一部品４４と第二部品４６との境界は、傾斜する。この製造方法では、第一部品４４が低弾性部２０を形成し、第二部品４６が高弾性部２２を形成する。
【００４２】
アウトソール１２に低弾性部及び高弾性部が設けられることにより、足の傾斜が達成されてもよい。インサイドにおける突起１４の密度が、アウトサイドにおける突起１４の密度よりも小さくされることで、足の傾斜が達成されてもよい。
【００４３】
図８は、本発明の他の実施形態に係るゴルフ靴のミッドソール５０が示された断面図である。このミッドソール５０の平面形状は、図２に示されたミッドソール１０の平面形状と同等である。この図８には、幅線Ｂに沿った断面が示されている。この図８において、左側がインサイドであり、右側がアウトサイドである。このミッドソール５０は、低弾性部５４、高弾性部５６及び傾斜面５８を備えている。低弾性部５４の断面形状は、実質的に台形である。傾斜面５８のインサイドでかつ上側には、低弾性部５４が存在している。傾斜面５８のアウトサイドでかつ下側には、高弾性部５６が存在している。低弾性部５４のインサイドには、内側高弾性部６０が存在している。
【００４４】
このミッドソール５０でも、低弾性部５４の圧縮変形量と高弾性部５６の圧縮変形量との相違に起因して、足が傾斜する。この傾斜により、ゴルファーは、十分な力を地面に伝えることができる。このミッドソール５０でも、圧縮変形量は、傾斜面５８に沿ってインサイドからアウトサイドに向かって連続的に変化する。連続的な変化は、スイングの安定に寄与する。このミッドソール５０でも、内側高弾性部６０は、足から地面に伝わる力をあまり吸収しない。
【００４５】
図９は、本発明のさらに他の実施形態に係るゴルフ靴のミッドソール６２が示された断面図である。このミッドソール６２の平面形状は、図２に示されたミッドソール１０の平面形状と同等である。この図９には、幅線Ｂに沿った断面が示されている。この図９において、左側がインサイドであり、右側がアウトサイドである。このミッドソール６２は、低弾性部６４、高弾性部６６、傾斜面６８及び平坦面７０を備えている。平坦面７０は、傾斜面６８と連続しており、傾斜面６８のアウトサイドに位置している。傾斜面６８のインサイドでかつ上側には、低弾性部６４が存在している。傾斜面６８のアウトサイドでかつ下側には、高弾性部６６が存在している。平坦面７０の上側には、低弾性部６４が存在している。平坦面７０の下側には、高弾性部６６が存在している。低弾性部６４のインサイドには、内側高弾性部７２が存在している。
【００４６】
このミッドソール６２でも、低弾性部６４の圧縮変形量と高弾性部６６の圧縮変形量との相違に起因して、足が傾斜する。この傾斜により、ゴルファーは、十分な力を地面に伝えることができる。このミッドソール６２でも、圧縮変形量は、傾斜面６８に沿ってインサイドからアウトサイドに向かって連続的に変化する。連続的な変化は、スイングの安定に寄与する。このミッドソール６２でも、内側高弾性部７２は、足から地面に伝わる力をあまり吸収しない。
【００４７】
図１０は、本発明のさらに他の実施形態に係るゴルフ靴のミッドソール７４が示された断面図である。このミッドソール７４の平面形状は、図２に示されたミッドソール１０の平面形状と同等である。この図１０には、幅線Ｂに沿った断面が示されている。この図１０において、左側がインサイドであり、右側がアウトサイドである。このミッドソール７４は、低弾性部７６、高弾性部７８、傾斜面８０及び平坦面８２を備えている。平坦面８２は、傾斜面８０と連続しており、傾斜面８０のインサイドに位置している。傾斜面８０のインサイドでかつ上側には、低弾性部７６が存在している。傾斜面８０のアウトサイドでかつ下側には、高弾性部７８が存在している。平坦面８２の上側には、低弾性部７６が存在している。平坦面８２の下側には、高弾性部７８が存在している。低弾性部７６のインサイドには、内側高弾性部８４が存在している。
【００４８】
このミッドソール７４でも、低弾性部７６の圧縮変形量と高弾性部７８の圧縮変形量との相違に起因して、足が傾斜する。この傾斜により、ゴルファーは、十分な力を地面に伝えることができる。このミッドソール７４でも、圧縮変形量は、傾斜面８０に沿ってインサイドからアウトサイドに向かって連続的に変化する。連続的な変化は、スイングの安定に寄与する。このミッドソール７４でも、内側高弾性部８４は、足から地面に伝わる力をあまり吸収しない。
【００４９】
このミッドソール７４では、低弾性部７６は、底面に露出していない。換言すれば、低弾性部７６と高弾性部７８との境界線は、底面に存在しない。このミッドソールは、耐久性に優れる。耐久性の観点から、ミッドソール７４の厚みＴに対する低弾性部７６の厚みｔの比率は１００％未満が好ましく、９８％以下がより好ましく、９５％以下が特に好ましい。インソールの上面が十分に傾斜するとの観点から、この比率は３０％以上が好ましく、５０％以上がより好ましく、８０％以上が特に好ましい。
【００５０】
図１１は、本発明のさらに他の実施形態に係るゴルフ靴のミッドソール８６が示された断面図である。このミッドソール８６の平面形状は、図２に示されたミッドソール１０の平面形状と同等である。この図１１には、幅線Ｂに沿った断面が示されている。この図１１において、左側がインサイドであり、右側がアウトサイドである。このミッドソール８６は、低弾性部８８、高弾性部９０、第一平坦面９２、傾斜面９４及び第二平坦面９６を備えている。第一平坦面９２は、傾斜面９４と連続しており、傾斜面９４のインサイドに位置している。第二平坦面９６は、傾斜面９４と連続しており、傾斜面９４のアウトサイドに位置している。傾斜面９４のインサイドでかつ上側には、低弾性部８８が存在している。傾斜面９４のアウトサイドでかつ下側には、高弾性部９０が存在している。第一平坦面９２の上側には、低弾性部８８が存在している。第一平坦面９２の下側には、高弾性部９０が存在している。第二平坦面９６の上側には、低弾性部８８が存在している。第二平坦面９６の下側には、高弾性部９０が存在している。低弾性部８８のインサイドには、内側高弾性部９８が存在している。
【００５１】
このミッドソール８６でも、低弾性部８８の圧縮変形量と高弾性部９０の圧縮変形量との相違に起因して、足が傾斜する。この傾斜により、ゴルファーは、十分な力を地面に伝えることができる。このミッドソール８６でも、圧縮変形量は、傾斜面９４に沿ってインサイドからアウトサイドに向かって連続的に変化する。連続的な変化は、スイングの安定に寄与する。このミッドソール８６でも、内側高弾性部９０は、足から地面に伝わる力をあまり吸収しない。
【００５２】
このミッドソール８６では、低弾性部８８は、底面に露出していない。換言すれば、低弾性部８８と高弾性部９０との境界線は、底面に存在しない。このミッドソールは、耐久性に優れる。耐久性の観点から、ミッドソール８６の厚みＴに対する低弾性部８８の厚みｔの比率は１００％未満が好ましく、９８％以下がより好ましく、９５％以下が特に好ましい。インソールの上面が十分に傾斜するとの観点から、この比率は３０％以上が好ましく、５０％以上がより好ましく、８０％以上が特に好ましい。
【００５３】
図１２は、本発明のさらに他の実施形態に係るゴルフ靴のミッドソール１００が示された平面図である。この図１２には、長さ線Ａ及び幅線Ｂが示されている。このミッドソール１００は、ベース１０２と、このベース１０２の外縁に位置する側壁１０４とを備えている。このミッドソール１００は、右足用である。左足用のミッドソールは、図１２に示された形状が左右反転した形状を呈する。
【００５４】
このミッドソール１００の幅線Ｂに沿った断面形状は、図４に示されたミッドソール１０の断面形状と同等である。このミッドソール１００は、低弾性部１０６及び高弾性部１０８を備えている。低弾性部１０６と高弾性部１０８との境界は、傾斜面を含んでいる。このミッドソール１００でも、低弾性部１０６の圧縮変形量と高弾性部１０８の圧縮変形量との相違に起因して、足が傾斜する。この傾斜により、ゴルファーは、十分な力を地面に伝えることができる。このミッドソール１００でも、圧縮変形量は、傾斜面に沿ってインサイドからアウトサイドに向かって連続的に変化する。連続的な変化は、スイングの安定に寄与する。このミッドソール１００でも、内側高弾性部１１０は、足から地面に伝わる力をあまり吸収しない。
【００５５】
図１２から明らかなように、低弾性部１０６の平面形状は八角形である。八角形の低弾性部１０６を備えたミッドソール１００では、前後方向においても、圧縮変形量が急激には変化しない。八角形の低弾性部１０６は、スイングの安定に寄与する。平面形状が六角形、七角形、九角形、十角形である低弾性部も、スイングの安定に寄与しうる。
【００５６】
図１３は、本発明のさらに他の実施形態に係るゴルフ靴のミッドソール１１２が示された平面図である。この図１３には、長さ線Ａ及び幅線Ｂが示されている。このミッドソール１１２は、ベース１１４と、このベース１１４の外縁に位置する側壁１１６とを備えている。このミッドソール１１２は、右足用である。左足用のミッドソールは、図１３に示された形状が左右反転した形状を呈する。
【００５７】
このミッドソール１１２の幅線Ｂに沿った断面形状は、図４に示されたミッドソール１０の断面形状と同等である。このミッドソール１１２は、低弾性部１１８及び高弾性部１２０を備えている。低弾性部１１８と高弾性部１２０との境界は、傾斜面を含んでいる。低弾性部１１８の平面形状は、略半楕円である。このミッドソール１１２でも、低弾性部１１８の圧縮変形量と高弾性部１２０の圧縮変形量との相違に起因して、足が傾斜する。この傾斜により、ゴルファーは、十分な力を地面に伝えることができる。このミッドソール１１２でも、圧縮変形量は、傾斜面に沿ってインサイドからアウトサイドに向かって連続的に変化する。連続的な変化は、スイングの安定に寄与する。このミッドソール１１２でも、内側高弾性部１２２は、足から地面に伝わる力をあまり吸収しない。
【００５８】
図１４は、本発明のさらに他の実施形態に係るゴルフ靴のミッドソール１２４が示された平面図である。この図１４には、長さ線Ａ及び幅線Ｂが示されている。このミッドソール１２４は、ベース１２６と、このベース１２６の外縁に位置する側壁１２８とを備えている。このミッドソール１２４は、右足用である。左足用のミッドソールは、図１４に示された形状が左右反転した形状を呈する。
【００５９】
このミッドソール１２４の幅線Ｂに沿った断面形状は、図４に示されたミッドソール１０の断面形状と同等である。このミッドソール１２４は、低弾性部１３０及び高弾性部１３２を備えている。低弾性部１３０と高弾性部１３２との境界は、傾斜面を含んでいる。低弾性部１３０の平面形状は、矩形である。このミッドソール１２４でも、低弾性部１３０の圧縮変形量と高弾性部１３２の圧縮変形量との相違に起因して、足が傾斜する。この傾斜により、ゴルファーは、十分な力を地面に伝えることができる。このミッドソール１２４でも、圧縮変形量は、傾斜面に沿ってインサイドからアウトサイドに向かって連続的に変化する。連続的な変化は、スイングの安定に寄与する。このミッドソール１２４でも、内側高弾性部１３４は、足から地面に伝わる力をあまり吸収しない。
【実施例】
【００６０】
以下、実施例によって本発明の効果が明らかにされるが、この実施例の記載に基づいて本発明が限定的に解釈されるべきではない。
【００６１】
［実施例１］
図８に示された断面形状を有するミッドソールを作成した。このミッドソールでは、長さＬは２９０ｍｍであり、幅Ｗは１００ｍｍであり、厚みＴは６ｍｍである。このミッドソールは、低弾性部及び高弾性部を備えている。低弾性部と高弾性部との境界は、傾斜面を含む。傾斜面の幅Ｗａは、５０ｍｍである。高弾性部は、内側高弾性部を含む。内側高弾性部の幅Ｗｂは、１５ｍｍである。このミッドソールでは、厚みｔの厚みＴに対する比率は、１００％である。このミッドソールにアウトソール、インソール及びアッパーを取り付け、実施例１のゴルフ靴を得た。
【００６２】
［実施例５及び６］
厚みｔの厚みＴに対する比率を下記の表１に示される通りとした他は実施例１と同様にして、実施例５及び６のゴルフ靴を得た。
【００６３】
［実施例４及び７］
内側高弾性部の幅Ｗｂを下記の表１に示される通りとした他は実施例１と同様にして、実施例４及び７のゴルフ靴を得た。実施例７のミッドソールの断面図は、図４に相当する。
【００６４】
［実施例２、３及び８］
傾斜面の幅Ｗａを下記の表１に示される通りとした他は実施例１と同様にして、実施例２、３及び８のゴルフ靴を得た。実施例８のミッドソールの断面図は、図４に相当する。
【００６５】
［実施例９及び１０］
低弾性部及び高弾性部の材質を変更した他は実施例１と同様にして、実施例９及び１０のゴルフ靴を得た。低弾性部及び高弾性部の硬度が、下記の表１に示されている。
【００６６】
［実施例１１］
ミッドソールの断面形状を図１５に示される通りとした他は実施例１と同様にして、実施例１１のゴルフ靴を得た。このミッドソールは、低弾性部１３６と高弾性部１３８とを備えている。低弾性部１３６と高弾性部１３８との境界は、鉛直方向に延びている。高弾性部１３８は、内側高弾性部１４０を含む。
【００６７】
［比較例］
ミッドソールの断面形状を図１６に示される通りとした他は実施例１と同様にして、比較例のゴルフ靴を得た。このミッドソールは、高弾性部のみからなる。
【００６８】
［打撃テスト］
ゴルフ靴をゴルファーに着用させ、ドライバーでゴルフボールを１０回打撃させた。そして、ヘッドスピード、飛距離、飛距離ばらつき、フェース角ばらつき及び打球方向ばらつきを測定した。この結果が、下記の表１に示されている。この表１において、ヘッドスピード及び飛距離は、平均値である。
【００６９】
【表１】
0004728103.tif 000002
【００７０】
表１から明らかなように、実施例のゴルフ靴により、大きなヘッドスピードが得られ、かつ大きな飛距離が得られる。特に、傾斜面を備えた実施例１から１０のゴルフ靴は、飛距離及び打球方向の安定に寄与する。この評価結果から、本発明の優位性は明らかである。
【産業上の利用可能性】
【００７１】
足を傾斜させうる靴は、ゴルフ以外の種々のスポーツにも適している。
【図面の簡単な説明】
【００７２】
【図１】図１は、本発明の一実施形態に係るゴルフ靴が示された一部切り欠き側面図である。
【図２】図２は、図１のゴルフ靴のミッドソールが示された平面図である。
【図３】図３は、図２のIII−III線に沿った拡大断面図である。
【図４】図４は、図２のIV−IV線に沿った拡大断面図である。
【図５】図５は、図２のＶ−Ｖ線に沿った拡大断面図である。
【図６】図６は、図２のミッドソールの製造方法の一例が説明されるための断面図である。
【図７】図７は、図２のミッドソールの製造方法の他の例が説明されるための断面図である。
【図８】図８は、本発明の他の実施形態に係るゴルフ靴のミッドソールが示された断面図である。
【図９】図９は、本発明のさらに他の実施形態に係るゴルフ靴のミッドソールが示された断面図である。
【図１０】図１０は、本発明のさらに他の実施形態に係るゴルフ靴のミッドソールが示された断面図である。
【図１１】図１１は、本発明のさらに他の実施形態に係るゴルフ靴のミッドソールが示された断面図である。
【図１２】図１２は、本発明のさらに他の実施形態に係るゴルフ靴のミッドソールが示された断面図である。
【図１３】図１３は、本発明のさらに他の実施形態に係るゴルフ靴のミッドソールが示された断面図である。
【図１４】図１４は、本発明のさらに他の実施形態に係るゴルフ靴のミッドソールが示された断面図である。
【図１５】図１５は、本発明の実施例９に係るゴルフ靴のミッドソールが示された断面図である。
【図１６】図１６は、比較例のゴルフ靴のミッドソールが示された断面図である。
【符号の説明】
【００７３】
２・・・ゴルフ靴
４・・・アッパー
６・・・底部
８・・・インソール
１０・・・ミッドソール
１２・・・アウトソール
１４・・・突起
１６・・・ベース
１８・・・側壁
２０・・・低弾性部
２２・・・高弾性部
２４・・・傾斜面
２６・・・内側高弾性部
【図１】
0004728103.tif 000003
【図２】
0004728103.tif 000004
【図３】
0004728103.tif 000005
【図４】
0004728103.tif 000006
【図５】
0004728103.tif 000007
【図６】
0004728103.tif 000008
【図７】
0004728103.tif 000009
【図８】
0004728103.tif 000010
【図９】
0004728103.tif 000011
【図１０】
0004728103.tif 000012
【図１１】
0004728103.tif 000013
【図１２】
0004728103.tif 000014
【図１３】
0004728103.tif 000015
【図１４】
0004728103.tif 000016
【図１５】
0004728103.tif 000017
【図１６】
0004728103.tif 000018